(57)【要約】【課題】悪影響の併発を排除しつつ呼の状態の維持を図ることができるデータ変換器、通信システム及び通信方法を提供することを目的とする。【解決手段】同期通信装置１０との間でデータを送受信する同期通信装置接続手段と、非同期通信網１４との間でパケットを送受信する非同期通信網接続手段と、非同期通信網接続手段が非同期通信網１４から受信したパケットに含まれる通信状態信号の変化を予め設定された保護時間内は保持し、保護時間を超過する通信状態信号の変化を出力する状態保持手段と、同期通信装置１０による同期通信の信号シーケンスを、状態保持手段から受信した通信状態信号の変化及び同期通信装置１０から受信した信号に基づいて調停し、信号シーケンスに応じた通信状態信号を非同期通信網接続手段が送信するパケットに含ませるシーケンス調停手段とを有するデータ変換器１２により上記課題を解決する。【選択図】  図１
2010268175.tif 000002
【特許請求の範囲】
【請求項１】
同期通信装置との間でデータを送受信する同期通信装置接続手段と、
非同期通信網との間でパケットを送受信する非同期通信網接続手段と、
前記非同期通信網接続手段が前記非同期通信網から受信したパケットに含まれる通信状態信号の変化を予め設定された保護時間内は保持し、前記保護時間を超過する前記通信状態信号の変化を出力する状態保持手段と、
前記同期通信装置による同期通信の信号シーケンスを、前記状態保持手段から受信した前記通信状態信号の変化及び前記同期通信装置から受信した信号に基づいて調停し、前記信号シーケンスに応じた通信状態信号を前記非同期通信網接続手段が送信するパケットに含ませるシーケンス調停手段と
を有するデータ変換器。
【請求項２】
前記保護時間が設定されている保護時間設定手段と、
前記非同期通信網接続手段が前記非同期通信網から受信したパケットに含まれる通信状態信号の変化を検出して前記状態保持手段に保護時間の計時開始のトリガを通知する瞬断検出手段と
を有する請求項１記載のデータ変換器。
【請求項３】
前記状態保持手段は、前記保護時間を超過しない前記通信状態信号の変化を出力せずに遮断する請求項１又は２記載のデータ変換器。
【請求項４】
非同期通信網を介して対向する複数のデータ変換器と、前記データ変換器を介して前記非同期通信網に接続される複数の同期通信装置とを有する通信システムであって、
前記データ変換器は、
前記同期通信装置との間でデータを送受信する同期通信装置接続手段と、
前記非同期通信網との間でパケットを送受信する非同期通信網接続手段と、
前記非同期通信網接続手段が前記非同期通信網から受信した前記対向するデータ変換器からのパケットに含まれる通信状態信号の変化を予め設定された保護時間内は保持し、前記保護時間を超過する前記通信状態信号の変化を出力する状態保持手段と、
前記同期通信装置による同期通信の信号シーケンスを、前記状態保持手段から受信した前記通信状態信号の変化及び前記同期通信装置から受信した信号に基づいて調停し、前記信号シーケンスに応じた通信状態信号を前記非同期通信網接続手段が送信する前記対向するデータ変換器へのパケットに含ませるシーケンス調停手段と
を有する通信システム。
【請求項５】
同期通信装置と非同期通信網との間に設けたデータ変換器によって実行される通信方法であって、
前記同期通信装置との間でデータを送受信するステップと、
前記非同期通信網との間でパケットを送受信するステップと、
前記非同期通信網から受信したパケットに含まれる通信状態信号の変化を予め設定された保護時間内は状態保持手段で保持し、前記保護時間を超過する前記通信状態信号の変化を出力するステップと、
前記同期通信装置による同期通信の信号シーケンスを、前記状態保持手段から受信した前記通信状態信号の変化及び前記同期通信装置から受信した信号に基づいて調停し、前記信号シーケンスに応じた通信状態信号を送信するパケットに含ませるステップと
を有する通信方法。
【発明の詳細な説明】
【技術分野】
【０００１】
本発明は、データ変換器、通信システム及び通信方法に係り、特に同期通信装置と非同期通信網との間に設けられるデータ変換器、同期通信装置と非同期通信網との間にデータ変換器を設けた通信システム及び通信方法に関する。
【背景技術】
【０００２】
主に光ファイバで同期通信網を構築し、多重伝送装置等でレガシーデータ通信（例えば音声、ＩＴＵ−Ｔ  Ｖ．２４、Ｘ．２１など）を行っている通信システムでは、同期通信網から非同期通信網（ＩＰネットワーク）への変更が望まれている。
【０００３】
光ファイバによる通信インフラを、特定の、しかも高額な同期通信装置しか接続できない同期通信網として使用するよりも、ＩＰネットワークとして使用する方が、接続できる機器が飛躍的に増大し、機器のコストも下がるため、光ファイバによる通信インフラはＩＰネットワークとして使用することが近年の主流となっている。
【０００４】
光ファイバによる通信インフラを利用して新規に通信ネットワークを構築する場合は、最初からＩＰネットワークを導入することが可能であるが、既に大量の設備投資を行って同期通信端末を接続して同期通信網を構築済みである場合、同期通信網をＩＰネットワークに変更することは、既存の同期通信端末等が全て使用不可能となるため、非常に大規模なリプレース作業が伴うことになり、現実的ではない。
【０００５】
このため、同期通信網をＩＰネットワークに変更する為には、レガシーデータ通信を行う為のレガシーインタフェースをＩＰネットワークに接続できるようにする為のＩＰ変換器を用いることが考えられている。これにより、既設の同期通信端末をそのまま活用すること出来る。ＩＰ変換器はバースト性を持っているＩＰネットワーク上のパケット通信方式を対象としているため、ＩＰネットワークにおける瞬断に対処する仕組みを必要としていた（例えば特許文献１参照）。
【０００６】
なお、瞬断とはＩＰネットワークの擾乱（経路切替）にて発生した一定時間のパケット損失をいう。
【先行技術文献】
【特許文献】
【０００７】
【特許文献１】特開平４−１１３７５１号公報
【発明の概要】
【発明が解決しようとする課題】
【０００８】
従来、ＩＰネットワーク上の瞬断に対して電話網を構築するための交換機、及び電話機との間で確立する呼信号（以降、呼と呼ぶ）の状態を維持する仕組みとして、受信信号の極性固定制御を行うものがあった。この仕組みは、瞬断を検出した場合、受信信号の値をＯＮ側またはＯＦＦ側に強制的に固定する制御であり、呼の状態の維持を優先する場合、ＯＮ側に固定することにより通話状態を確保するものである。
【０００９】
しかしながら、受信信号の値をＯＮ側に固定する制御は、無通話状態において瞬断が発生した場合、交換機に対して擬似発呼となり、また電話機に対して擬似鳴動が一斉に発生するなど顕著な悪影響が存在していた。また、交換機に対する擬似発呼は、課金にかかわる重大な問題につながる可能性もあった。つまり、ＩＰネットワーク上の瞬断に対して呼の状態を維持する従来の仕組みは、悪影響の併発が問題であった。
【００１０】
本発明の一実施形態は、上記の点に鑑みなされたもので、悪影響の併発を排除しつつ呼の状態の維持を図ることができるデータ変換器、通信システム及び通信方法を提供することを目的とする。
【課題を解決するための手段】
【００１１】
上記課題を解決するため、本発明の一実施形態のデータ変換器は、同期通信装置との間でデータを送受信する同期通信装置接続手段と、非同期通信網との間でパケットを送受信する非同期通信網接続手段と、前記非同期通信網接続手段が前記非同期通信網から受信したパケットに含まれる通信状態信号の変化を予め設定された保護時間内は保持し、前記保護時間を超過する前記通信状態信号の変化を出力する状態保持手段と、前記同期通信装置による同期通信の信号シーケンスを、前記状態保持手段から受信した前記通信状態信号の変化及び前記同期通信装置から受信した信号に基づいて調停し、前記信号シーケンスに応じた通信状態信号を前記非同期通信網接続手段が送信するパケットに含ませるシーケンス調停手段とを有する。
【００１２】
なお、本発明の一実施形態の構成要素、表現又は構成要素の任意の組合せを、方法、装置、システム、コンピュータプログラム、記録媒体、データ構造などに適用したものも本発明の態様として有効である。
【発明の効果】
【００１３】
上述の如く、本発明の一実施形態によれば、悪影響の併発を排除しつつ呼の状態の維持を図ることができるデータ変換器、通信システム及び通信方法を提供可能である。
【図面の簡単な説明】
【００１４】
【図１】ＩＰ変換器の使用例を表したシステム構成図である。
【図２】交換機接続インタフェースにおける２状態の状態遷移図である。
【図３】電話機接続インタフェースにおける４状態の状態遷移図である。
【図４】電話機接続インタフェース及び交換機接続インタフェースにおける発呼動作及び着呼動作時の状態遷移の連携を説明する為の説明図である。
【図５】交換機接続インタフェースにおける信号シーケンス制御を表したタイミング図である。
【図６】電話機接続インタフェースにおける信号シーケンス制御を表したタイミング図である。
【図７】ＩＰ変換器の一例のブロック構成図である。
【図８】状態保持部の動作を説明する為のタイミング図である。
【図９】ＩＰパケットによるＳＲのＯＮ，ＯＦＦ変化の通知について説明する為の模式図である。
【発明を実施するための形態】
【００１５】
次に、本発明を実施するための形態を、以下の実施例に基づき図面を参照しつつ説明していく。
【００１６】
図１は、ＩＰ変換器の使用例を表したシステム構成図である。図１のシステム１は交換機（ＰＢＸ）１０と電話機１１との間の内線延長回線を構築するものである。システム１は同期通信網で運用しているレガシー機器である交換機１０及び電話機１１と、非同期通信網であるＩＰネットワークとの間にＩＰ変換器１２，１３を挿入している。
【００１７】
システム１ではレガシー機器から見れば、あたかも同期通信網で接続されたように高品質の同期通信が可能となる。具体的に、システム１ではクロックマスタ側のクロックにクロックスレーブ側のクロックを同期させている。このように、システム１では同期通信網をＩＰネットワークに変更した際においても、既設の同期通信装置がそのまま使用できるため、既設の光ファイバによる通信インフラを同期通信網からＩＰネットワークに変更する際の障害が無くなり、様々なメリットが生まれる。
【００１８】
システム１は交換機１０と電話機１１との間の内線を延長する為のＩＰネットワーク１４のエッジ部分にＩＰ変換器１２，１３が位置している。交換機１０側のＩＰ変換器１２は交換機接続インタフェースを実装している。電話機１１側のＩＰ変換器１３は電話機接続インタフェースを実装している。
【００１９】
ＩＰ変換器１２の交換機接続インタフェースは着呼待機、発呼・通話の２状態の状態遷移を有する。ＩＰ変換器１３の電話機接続インタフェースはアイドル、着呼、発呼、通話の４状態の状態遷移を有する。
【００２０】
図２は交換機接続インタフェースにおける２状態の状態遷移図である。交換機接続インタフェースは着呼待機状態ＳＴ０、発呼・通話状態ＳＴ１の２状態を有する。着呼待機状態ＳＴ０でＳＲ（受信シグナリング）がＯＦＦからＯＮへ変化すると、交換機接続インタフェースは発呼・通話状態ＳＴ１に遷移する。発呼・通話状態ＳＴ１でＳＲがＯＮからＯＦＦに変化すると、交換機接続インタフェースは着呼待機状態ＳＴ０に遷移する。
【００２１】
図３は電話機接続インタフェースにおける４状態の状態遷移図である。電話機接続インタフェースはアイドル状態ＳＴ００、着呼状態ＳＴ０１、発呼状態ＳＴ１０、通話状態ＳＴ１１の４状態を有する。
【００２２】
電話機接続インタフェースはアイドル状態ＳＴ００のときＳＲがＯＦＦである。アイドル状態ＳＴ００において電話機接続インタフェースはオフフック検出信号入力時にアイドル状態ＳＴ００から発呼状態ＳＴ１０に遷移する。
【００２３】
電話機接続インタフェースは発呼状態ＳＴ１０から通話状態ＳＴ１１に遷移する際の応答信号（極性反転）入力時にＳＲがＯＦＦからＯＮへ変化する。通話状態ＳＴ１１において電話機接続インタフェースは終話におけるオンフック検出信号入力時にＳＲがＯＮからＯＦＦへ変化し、通話状態ＳＴ１１からアイドル状態ＳＴ００に遷移する。なお、発呼状態ＳＴ１０において電話機接続インタフェースはオンフック検出信号入力時に発呼状態ＳＴ１０からアイドル状態ＳＴ００に遷移する。
【００２４】
また、電話機接続インタフェースは着呼の際の呼出信号（ＩＲ）入力時にＳＲがＯＦＦからＯＮへ変化し、アイドル状態ＳＴ００から着呼状態ＳＴ０１に遷移する。着呼状態ＳＴ０１において電話機接続インタフェースはオフフック検出信号入力時にＳＲがＯＮからＯＦＦへ変化し、着呼状態ＳＴ０１から通話状態ＳＴ１１に遷移する。なお、着呼状態ＳＴ０１において電話機接続インタフェースはＳＲがＯＮからＯＦＦへ変化すると、着呼状態ＳＴ０１からアイドル状態ＳＴ００に遷移する。
【００２５】
図２に示した交換機接続インタフェースにおける状態遷移と図３に示した電話機接続インタフェースにおける状態遷移とは図４に示すように連携する。図４は電話機接続インタフェース及び交換機接続インタフェースにおける発呼動作及び着呼動作時の状態遷移の連携を説明する為の説明図である。なお、図４ではＳＳ（送信シグナリング）及びＳＲのＯＮ及びＯＦＦを、それぞれ点灯及び消灯で表している。点滅はＯＮ及びＯＦＦの繰り返しを表している。
【００２６】
図５は交換機接続インタフェースにおける信号シーケンス制御を表したタイミング図である。図４（Ａ）は着呼の際の信号シーケンス制御を表す。図４（Ｂ）は発呼の際の信号シーケンス制御を表す。交換機接続インタフェースにおける信号シーケンス制御では着呼待機状態ＳＴ０でＳＲがＯＦＦ、発呼・通話状態ＳＴ１でＳＲがＯＮとなる。
【００２７】
図６は電話機接続インタフェースにおける信号シーケンス制御を表したタイミング図である。図６（Ａ）は着呼の際の信号シーケンス制御を表す。図６（Ｂ）は発呼の際の信号シーケンス制御を表す。
【００２８】
電話機接続インタフェースにおける信号シーケンス制御では、アイドル状態ＳＴ００から着呼状態ＳＴ０１に遷移する際、ＳＲがＯＦＦからＯＮへ変化し、着呼状態ＳＴ０１から通話状態ＳＴ１１に遷移する際、ＳＲがＯＮからＯＦＦに変化している。なお、着呼放棄により着呼状態ＳＴ０１からアイドル状態ＳＴ００に遷移する際、ＳＲはＯＮからＯＦＦに変化している。
【００２９】
また、電話機接続インタフェースにおける信号シーケンス制御では、発呼状態ＳＴ１０から通話状態ＳＴ１１に遷移する際、ＳＲがＯＦＦからＯＮへ変化する。通話状態ＳＴ１１からアイドル状態ＳＴ００に遷移する際、ＳＲがＯＮからＯＦＦへ変化する。
【００３０】
図１のシステム１では、ＩＰ変換器１２，１３がＩＰネットワーク１４を介してＳＳの送信及びＳＲの受信を行っている。ＩＰネットワーク１４では、瞬断によりＳＳ，ＳＲのＯＮ，ＯＦＦ変化が発生し、意図しない状態遷移を生じさせる場合がある。そこで、ＩＰ変換器１２，１３に以下のような瞬断に対処する仕組みを有している。
【００３１】
図７はＩＰ変換器の一例のブロック構成図である。図７に示すように、ＩＰ変換器１２及び１３は同様な構成を有している。ここでは、ＩＰ変換器１２を例に説明する。ＩＰ変換器１２は、Ａ／Ｄ変換部２１，信号検出／挿入部２２，シーケンス調停部２３，ＩＰパケット変換／逆変換部２４，瞬断検出部２５，状態保持部２６，保護時間設定部２７を有する。
【００３２】
Ａ／Ｄ変換部２１，信号検出／挿入部２２は交換機１０との間でアナログ音声信号を送受信する。Ａ／Ｄ変換部２１はアナログ音声信号をＡ／Ｄ変換してディジタル符号化音声信号をＩＰパケット変換／逆変換部２４に送信する。Ａ／Ｄ変換部２１はＩＰパケット変換／逆変換部２４から受信したディジタル符号化音声信号をＤ／Ａ変換してアナログ音声信号を交換機１０に送信する。
【００３３】
信号検出／挿入部２２はアナログ音声信号からループ，ダイヤルパルス，リンガー（呼出信号）等を検出する信号検出を行ってシーケンス調停部２３に通知する。また、信号検出／挿入部２２はシーケンス調停部２３からの指示によりループ生成，リンガー起動などの信号挿入を行い、交換機１０に通知する。
【００３４】
シーケンス調停部２３はＳＳ及びＳＲと、信号検出／挿入部２２から通知された内容とに基づき、着呼待機、発呼・通話の２状態の状態遷移を管理する。シーケンス調停部２３はＳＳをＩＰパケット変換／逆変換部２４に通知する。
【００３５】
ＩＰパケット変換／逆変換部２４はＡ／Ｄ変換部２１から受信したディジタル符号化音声信号，シーケンス調停部２３から通知されたＳＳをＩＰパケットに変換（ＩＰパケット化）してＩＰネットワーク１４に送信する。また、ＩＰパケット変換／逆変換部２４はＩＰネットワーク１４から受信したＩＰパケットをディジタル符号化音声信号，ＳＲに逆変換（デパケット化）する。ＩＰパケット変換／逆変換部２４は逆変換したディジタル符号化音声信号をＡ／Ｄ変換部２１に送信し、逆変換したＳＲを瞬断検出部２５及び状態保持部２６に通知する。
【００３６】
瞬断検出部２５はＩＰパケット変換／逆変換部２４から通知されたＳＲのＯＮ，ＯＦＦ変化を検出して状態保持部２６に通知する。瞬断検出部２５からの通知は状態保持部２６における後述の保護開始のトリガとなる。
【００３７】
状態保持部２６は、ＳＲのＯＮ，ＯＦＦが変化しても保護時間設定部２７に設定された保護時間を超過するまで、ＳＲのＯＮ，ＯＦＦを変化させずに変化前のＳＲのＯＮ，ＯＦＦを保持する。状態保持部２６は、瞬断検出部２５からの通知があると、保護時間の超過を検出するための計時を開始する。なお、状態保持部２６は計時中に瞬断検出部２５から新たな通知があると、計時を最初からやり直す。
【００３８】
保持時間設定部２７は例えばユーザ操作により保護時間が設定される。保護時間は例えば１０ｍｓ〜１ｓの間で１０ｍｓ単位に設定する。状態保持部２６は計時により保護時間の超過を検出すると、変化後のＳＲのＯＮ，ＯＦＦに更新する。
【００３９】
図７に示すように、ＩＰ変換器１２が実装している交換機接続インタフェースとＩＰ変換器１３が実装している電話機接続インタフェースとの双方は、信号シーケンス調停部２３の前段に状態保持部２６を有している。状態保持部２６では、ＩＰネットワーク１４側から受信したＳＲのＯＮ，ＯＦＦが変化しても、保護時間が経過するまで変化前のＳＲのＯＮ，ＯＦＦを保持して、ＳＲの変化が保護時間を超過した時点（例えば、ＳＲがＯＮからＯＦＦに変化した場合、ＳＲがＯＦＦのままで保護時間を超過した時点）で変化後のＳＲのＯＮ，ＯＦＦに更新する。つまり、状態保持部２６は保護時間を超過しないＳＲの変化を無視（遮断）する。
【００４０】
なお、保護時間設定部２７は例えばＩＰネットワーク１４上で発生しうる瞬断の最大値が予め設定される。このように、本実施例のＩＰ変換器１２，１３はＩＰネットワーク１４の瞬断によりＳＳ，ＳＲのＯＮ，ＯＦＦ変化が発生しても、保護時間の間、瞬断が発生する前のＳＲのＯＮ，ＯＦＦを保持することで、意図しない状態遷移を防ぎ、呼の状態を維持できる。
【００４１】
図８は状態保持部の動作を説明する為のタイミング図である。図８（Ａ）は状態保持部２６を通過する前のＳＲのＯＮ，ＯＦＦ変化を表す。図８（Ｂ）は状態保持部２６を通過した後のＳＲのＯＮ，ＯＦＦ変化を表す。
【００４２】
図８（Ａ）に示したＳＲのＯＮ，ＯＦＦ変化８１，８２はＩＰネットワーク１４上の擾乱（例えばＬ３ネットワークの経路切替によるパケット損失など）により発生するＳＲのＯＮ，ＯＦＦ変化であるとする。図８（Ａ）に示したＳＲのＯＮ，ＯＦＦ変化８１，８２は保護時間（Ｘｍｓ）を超過していないため、図８（Ｂ）に示したＳＲのＯＮ，ＯＦＦ変化で無視されている。
【００４３】
また、図８（Ａ）に示したＳＲのＯＮ，ＯＦＦ変化８３は保護時間（Ｘｍｓ）を超過している為、ＳＲのＯＮ，ＯＦＦ変化８３から保護時間（Ｘｍｓ）の超過後、図８（Ｂ）に示したＳＲのＯＮ，ＯＦＦ変化８４として現れる。
【００４４】
図９はＩＰパケットによるＳＲのＯＮ，ＯＦＦ変化の通知について説明する為の模式図である。図９に示すように、ＩＰ変換器１２及びＩＰ変換器１３はＩＰパケット９１にＳＳを含ませてＳＳのＯＮ，ＯＦＦ変化を通知している。ＩＰ変換器１２及びＩＰ変換器１３のＩＰパケット変換／逆変換部２４はＩＰパケット９１を受信すると、ＩＰパケット９１をデパケット化し、ＳＳのＯＮ，ＯＦＦ変化をＳＲのＯＮ，ＯＦＦ変化として瞬断検出部２５及び状態保持部２６に通知する。
【００４５】
例えば図１のシステム１における瞬断発生時における信号シーケンス制御は以下のようになる。ここでは電話機１１の受話器を上げる動作が行われた例を説明する。
【００４６】
まず、ＩＰ変換器１３はオフフック検出信号を検出し、対向側であるＩＰ変換器１２にＯＮのＳＳ（ＳＳ−ＯＮ）を含むＩＰパケットを送信する。ＩＰネットワーク１４上では擾乱が発生し、ＩＰ変換器１２で受信したＩＰパケットに含まれるＳＳ（言い換えればＳＲ）がＯＮ−ＯＦＦに繰り返し変化したものとする。
【００４７】
ＩＰ変換器１２では瞬断検出部２５が保護時間におけるＳＳのＯＮ，ＯＦＦ変化を無効にする。その後、ＩＰ変換器１２で受信したＩＰパケットに含まれるＳＳ（言い換えればＳＲ）が保護時間を超過してＯＮに変化していれば、保護時間の超過後、ＳＲをＯＮに変化する。ＩＰ変換器１２は交換機１０にＳＲ−ＯＮを通知し、交換機１０から発信音（ダイアルトーン：ＤＴ）を受信する。
【００４８】
本実施例のシステム１では、ＩＰ変換器１２が実装している交換機接続インタフェースとＩＰ変換器１３が実装している電話機接続インタフェースとのそれぞれについて、呼の状態に関係無く、瞬断が発生する寸前の状態を保持することが可能であるため、呼の状態を維持する動作以外の悪影響の併発を排除できる。
【００４９】
本発明は、以下に記載する付記のような構成が考えられる。
（付記１）
同期通信装置との間でデータを送受信する同期通信装置接続手段と、
非同期通信網との間でパケットを送受信する非同期通信網接続手段と、
前記非同期通信網接続手段が前記非同期通信網から受信したパケットに含まれる通信状態信号の変化を予め設定された保護時間内は保持し、前記保護時間を超過する前記通信状態信号の変化を出力する状態保持手段と、
前記同期通信装置による同期通信の信号シーケンスを、前記状態保持手段から受信した前記通信状態信号の変化及び前記同期通信装置から受信した信号に基づいて調停し、前記信号シーケンスに応じた通信状態信号を前記非同期通信網接続手段が送信するパケットに含ませるシーケンス調停手段と
を有するデータ変換器。
（付記２）
前記保護時間が設定されている保護時間設定手段と、
前記非同期通信網接続手段が前記非同期通信網から受信したパケットに含まれる通信状態信号の変化を検出して前記状態保持手段に保護時間の計時開始のトリガを通知する瞬断検出手段と
を有する付記１記載のデータ変換器。
（付記３）
前記状態保持手段は、前記保護時間を超過しない前記通信状態信号の変化を出力せずに遮断する付記１又は２記載のデータ変換器。
（付記４）
非同期通信網を介して対向する複数のデータ変換器と、前記データ変換器を介して前記非同期通信網に接続される複数の同期通信装置とを有する通信システムであって、
前記データ変換器は、
前記同期通信装置との間でデータを送受信する同期通信装置接続手段と、
前記非同期通信網との間でパケットを送受信する非同期通信網接続手段と、
前記非同期通信網接続手段が前記非同期通信網から受信した前記対向するデータ変換器からのパケットに含まれる通信状態信号の変化を予め設定された保護時間内は保持し、前記保護時間を超過する前記通信状態信号の変化を出力する状態保持手段と、
前記同期通信装置による同期通信の信号シーケンスを、前記状態保持手段から受信した前記通信状態信号の変化及び前記同期通信装置から受信した信号に基づいて調停し、前記信号シーケンスに応じた通信状態信号を前記非同期通信網接続手段が送信する前記対向するデータ変換器へのパケットに含ませるシーケンス調停手段と
を有する通信システム。
（付記５）
電話機又は交換機との間でデータを送受信する装置接続手段と、
ＩＰネットワークとの間でパケットを送受信するＩＰネットワーク接続手段と、
前記ＩＰネットワーク接続手段が前記ＩＰネットワークから受信したパケットに含まれる通信状態信号の変化を予め設定された保護時間内は保持し、前記保護時間を超過する前記通信状態信号の変化を出力する状態保持手段と、
前記電話機又は交換機による同期通信の信号シーケンスを、前記状態保持手段から受信した前記通信状態信号の変化及び前記電話機又は交換機から受信した信号に基づいて調停し、前記信号シーケンスに応じた通信状態信号を前記ＩＰネットワーク接続手段が送信するパケットに含ませるシーケンス調停手段と
を有するＩＰ変換器。
（付記６）
同期通信装置と非同期通信網との間に設けたデータ変換器によって実行される通信方法であって、
前記同期通信装置との間でデータを送受信するステップと、
前記非同期通信網との間でパケットを送受信するステップと、
前記非同期通信網から受信したパケットに含まれる通信状態信号の変化を予め設定された保護時間内は状態保持手段で保持し、前記保護時間を超過する前記通信状態信号の変化を出力するステップと、
前記同期通信装置による同期通信の信号シーケンスを、前記状態保持手段から受信した前記通信状態信号の変化及び前記同期通信装置から受信した信号に基づいて調停し、前記信号シーケンスに応じた通信状態信号を送信するパケットに含ませるステップと
を有する通信方法。
【００５０】
本発明は、具体的に開示された実施例に限定されるものではなく、特許請求の範囲から逸脱することなく、種々の変形や変更が可能である。なお、特許請求の範囲に記載した通信状態信号は、ＳＳ及びＳＲに相当する。
【符号の説明】
【００５１】
１    システム
１０    交換機（ＰＢＸ）
１１    電話機
１２，１３    ＩＰ変換器
１４    ネットワーク
２１    Ａ／Ｄ変換部
２２    信号検出／挿入部
２３    シーケンス調停部
２４    ＩＰパケット変換／逆変換部
２５    瞬断検出部
２６    状態保持部
２７    保護時間設定部
８１〜８４    ＳＲのＯＮ，ＯＦＦ変化
９１    ＩＰパケット
【図１】
2010268175.tif 000003
【図２】
2010268175.tif 000004
【図３】
2010268175.tif 000005
【図４】
2010268175.tif 000006
【図５】
2010268175.tif 000007
【図６】
2010268175.tif 000008
【図７】
2010268175.tif 000009
【図８】
2010268175.tif 000010
【図９】
2010268175.tif 000011